【手続補正書】
【提出日】平成25年9月4日(2013.9.4)
【手続補正１】
【補正対象書類名】特許請求の範囲
【補正対象項目名】全文
【補正方法】変更
【補正の内容】
【特許請求の範囲】
【請求項１】
無線通信システムにおける基地局の動作方法において、
第１パラメータ集合（ｓｅｔ）及び第２パラメータ集合を含むシステム情報を生成する過程と、
前記システム情報を送信する過程と、を含み、
前記第１パラメータ集合は指示子及び変更カウント（ｃｈａｎｇｅ  ｃｏｕｎｔ）をふくみ、
前記指示子は前記変更カウントの現在値に対応する第２パラメータ集合の内容（ｃｏｎｔｅｎｔｓ）を適用するのか否かを指示することを特徴とする方法。
【請求項２】
前記第２パラメータ集合が変更されると、前記変更カウントを増加させる過程を更に含むことを特徴とする請求項１に記載の方法。
【請求項３】
前記第２パラメータ集合は多数のＳＰ（Ｓｕｂ  Ｐａｃｋｅｔ）で区分され、
前記ＳＰのうち少なくとも一つを変更する過程と、
ＳＰの変更を識別するための変更ビットマップ（ｃｈａｎｇｅ  ｂｉｔｍａｐ）から前記変更された少なくとも一つのＳＰに対応される少なくとも一つのビットを変更する過程と、を更に含み、
前記変更ビットマップは、前記第１パラメータ集合を介して送信されることを特徴とする請求項１に記載の方法。
【請求項４】
前記第２パラメータ集合を変更する過程と、
変更された第２パラメータ集合の内容を適用するか否かを判断する過程を更に含むことを特徴とする請求項１に記載の方法。
【請求項５】
前記第２パラメータ集合は多数のＳＰ（Ｓｕｂ  Ｐａｃｋｅｔ）で区分され、
前記変更された第２パラメータ集合の内容を適用するのか否かを判断する過程は、
前記ＳＰが変更された後、予め定義された回数の変更されたＳＰ伝送が完了されると、前記変更された第２パラメータ集合の内容を適用することを判断する過程を含むことを特徴とする請求項４に記載の方法。
【請求項６】
前記ＳＰは、お互い異なる送信周期を有するＳＰ１、ＳＰ２、ＳＰ３を含み、
前記ＳＰ１が変更される場合、変更されたＳＰ１の内容は、前記変更されたＳＰ１が２回送信されたスーパーフレームの次のスーパーフレームから適用され、
前記ＳＰ２が変更される場合、変更されたＳＰ２の内容は、前記変更されたＳＰ１が２回送信されたスーパーフレームの次のスーパーフレームから適用され、
前記ＳＰ３が変更される場合、変更されたＳＰ３の内容は、前記変更されたＳＰ１が２回送信されたスーパーフレームの次のスーパーフレームから適用されることを特徴とする請求項５に記載の方法。
【請求項７】
前記第２パラメータ集合は多数のＳＰを含み、
変更された少なくとも一つのＳＰの送信周期が到来すると、前記変更された少なくとも一つのＳＰを送信する過程を更に含むことを特徴とする請求項１に記載の方法。
【請求項８】
前記変更カウントは、前記第２パラメータ集合の変更によって増加することを特徴とする請求項１に記載の方法。
【請求項９】
無線通信システムにおける端末の動作方法において、
第１パラメータ集合（ｓｅｔ）及び第２パラメータ集合を含むシステム情報を受信する過程と、前記第１パラメータ集合は指示子及び変更カウント（ｃｈａｎｇｅ  ｃｏｕｎｔ）を含み、
前記指示子の値が第１値である場合、前記変更カウントの現在値に対応する前記第２パラメータ集合の内容を適用する過程と、
前記指示子の値が第２値である場合、前記変更カウントの以前値に対応する前記第２パラメータ集合の内容を適用する過程と、を含み、
前記指示子は前記変更カウントの現在値に対応する第２パラメータ集合の内容（ｃｏｎｔｅｎｔｓ）を適用するのか否かを指示することを特徴とする方法。
【請求項１０】
前記第２パラメータ集合は多数のＳＰ（Ｓｕｂ  Ｐａｃｋｅｔ）で区分され、
変更されたＳＰを識別するための変更ビットマップ（ｃｈａｎｇｅ  ｂｉｔｍａｐ）を受信する過程を更に含み、
前記変更ビットマップは前記第１パラメータ集合に含まれることを特徴とする請求項９に記載の方法。
【請求項１１】
前記変更カウント、前記変更ビットマップ、前記指示子を用いて前記ＳＰに含まれるシステム情報を変更するか否かを判断する過程を更に含むことを特徴とする請求項１０に記載の方法。
【請求項１２】
前記変更カウント、前記変更ビットマップ、前記指示子を用いて前記ＳＰに含まれるシステム情報を変更するか否かを判断する過程は、
以前変更カウントの値及び現在変更カウント値を比較する過程と、
前記以前変更カウントの値及び前記現在変更カウント値の差が０であれば、前記変更カウントの値が変更しない間に受信されるＳＰを廃棄（ｄｉｓｃａｒｄ）する過程と、
前記以前変更カウントの値及び前記現在変更カウント値の差が１であれば、前記変更ビットマップから値が変更されたビットに対応されるＳＰに含まれるシステム情報の内容を変更する過程と、
前記以前変更カウントの値及び前記現在変更カウント値の差が２以上であれば、全てのＳＰに含まれるシステム情報の内容を変更する過程と、を更に含む請求項１１に記載の方法。
【請求項１３】
前記変更カウントは、前記第２パラメータ集合の変更によって増加することを特徴とする請求項９に記載の方法。
【請求項１４】
無線通信システムにおける基地局装置において、
第１パラメータ集合（ｓｅｔ）及び第２パラメータ集合を含むシステム情報を生成する生成部と、
前記システム情報を送信する送信部と、を含み、
前記第１パラメータ集合は指示子及び変更カウント（ｃｈａｎｇｅ  ｃｏｕｎｔ）を含み、
前記指示子は前記変更カウントの現在値に対応する第２パラメータ集合の内容（ｃｏｎｔｅｎｔｓ）を適用するのか否かを指示することを特徴とする装置。
【請求項１５】
前記第２パラメータ集合が変更されると、前記変更カウントを増加させる決定部を更に含むことを特徴とする請求項１４に記載の装置。
【請求項１６】
前記第２パラメータ集合は多数のＳＰ（ｓｕｂ  ｐａｃｋｅｔ）で区分され、
前記ＳＰのうち少なくとも一つを変更し、
変更されたＳＰを識別するための変更ビットマップ（ｃｈａｎｇｅ  ｂｉｔｍａｐ）から前記変更された少なくとも一つのＳＰに対応される少なくとも一つのビットを変更する決定部を更に含み、
前記変更ビットマップは、前記第１パラメータ集合に含まれることを特徴とする請求項１４に記載の装置。
【請求項１７】
前記第２パラメータ集合を変更し、変更された第２パラメータ集合の内容を適用するのか否かを判断する決定部を更に含むことを特徴とする請求項１４に記載の装置。
【請求項１８】
前記第２パラメータ集合は多数のＳＰ（Ｓｕｂ  Ｐａｃｋｅｔ）で区分され、
前記決定部は、前記ＳＰが変更された後、予め定義された回数の変更されたＳＰ伝送が完了されると、前記変更された第２パラメータ集合の内容を適用することを判断することを特徴とする請求項１７に記載の装置。
【請求項１９】
前記ＳＰは、お互い異なる送信周期を有するＳＰ１、ＳＰ２、ＳＰ３を含み、
前記ＳＰ１が変更される場合、変更されたＳＰ１の内容は、前記変更されたＳＰ１が２回送信されたスーパーフレームの次のスーパーフレームから適用され、
前記ＳＰ２が変更される場合、変更されたＳＰ２の内容は、前記変更されたＳＰ１が２回送信されたスーパーフレームの次のスーパーフレームから適用され、
前記ＳＰ３が変更される場合、変更されたＳＰ３の内容は、前記変更されたＳＰ１が２回送信されたスーパーフレームの次のスーパーフレームから適用されることを特徴とする請求項１８に記載の装置。
【請求項２０】
前記第２パラメータ集合は多数のＳＰを含み、
前記送信部は、変更された少なくとも一つのＳＰの送信周期が到来すると、前記変更された少なくとも一つのＳＰを送信することを特徴とする請求項１４に記載の装置。
【請求項２１】
前記変更カウントは、前記第２パラメータ集合の変更によって増加することを特徴とする請求項１４に記載の装置。
【請求項２２】
無線通信システムにおける端末装置において、
第１パラメータ集合（ｓｅｔ）及び第２パラメータ集合を含むシステム情報を受信する受信部と、前記第１パラメータ集合は指示子及び変更カウント（ｃｈａｎｇｅ  ｃｏｕｎｔ）を含み、
前記指示子の値が第１値である場合、前記変更カウントの現在値に対応する前記第２パラメータ集合の内容を適用し、前記指示子の値が第２値である場合、前記変更カウントの以前値に対応する前記第２パラメータ集合の内容を適用する制御部を含み、
前記指示子は、前記変更カウントの現在値に対応する第２パラメータ集合の内容（ｃｏｎｔｅｎｔｓ）を適用するのか否かを指示することを特徴とする装置。
【請求項２３】
前記第２パラメータ集合は多数のＳＰ（Ｓｕｂ  Ｐａｃｋｅｔ）で区分され、
前記受信部は変更されたＳＰを識別するための変更ビットマップ（ｃｈａｎｇｅ  ｂｉｔｍａｐ）を受信し、
前記変更ビットマップは前記第１パラメータ集合に含まれることを特徴とする請求項２２に記載の装置。
【請求項２４】
前記制御部は、前記変更カウント、前記変更ビットマップ、前記指示子を用いて前記ＳＰに含まれるシステム情報を変更するか否かを判断することを特徴とする請求項２３に記載の装置。
【請求項２５】
前記制御部は、以前変更カウントの値及び現在変更カウント値を比較した後、前記以前変更カウントの値及び前記現在変更カウント値の差が０であれば、前記変更カウントの値が変更してない間に受信されるＳＰを廃棄（ｄｉｓｃａｒｄ）して、前記以前変更カウントの値及び前記現在変更カウント値の差が１であれば、前記変更ビットマップから値が変更されたビットに対応されるＳＰに含まれるシステム情報の内容を変更して、前記以前変更カウントの値及び前記現在変更カウント値の差が２以上であれば、全てのＳＰに含まれるシステム情報の内容を変更することを特徴とする請求項２４に記載の装置。
【請求項２６】
前記変更カウントは、前記第２パラメータ集合の変更によって増加することを特徴とする請求項２２に記載の装置。